Podtech/llm-jp-corpus-v4-ja_patent huggingface dataset:
(57)【要約】      （修正有）【課題】ロック及び解除の作業を、指先での押し込みと回動によって行うことができるパーキングブレーキのロック構造を提供する。【解決手段】円筒形をしたスピンターンノブの側壁面に、略直角方向に屈曲されたカム溝を形成し、そのカム溝と係合し、作用するキーをレバーに備えている。キーは棒先の六角穴付き止めねじ（イモねじ）とし、スピンターンノブはコイルスプリングで外方に向け附勢されている。【選択図】図１
0003174619.tif 000002
【実用新案登録請求の範囲】
【請求項１】
円筒形をしたスピンターンノブの側壁面に、略直角方向に屈曲されたカム溝を形成し、そのカム溝と係合し、作用するキーをレバーに備えていることを特徴とするパーキングブレーキのロック構造。
【請求項２】
前記したキーは棒先の六角穴付き止めねじ（イモねじ）としたことを特徴とする請求項１に記載のパーキングブレーキのロック構造。
【請求項３】
前記したスピンターンノブはコイルスプリングで外方に向け附勢されていることを特徴とする請求項１または２に記載のパーキングブレーキのロック構造。
【考案の詳細な説明】
【技術分野】
【０００１】
本考案はパーキングブレーキ（サイドブレーキ）のロック構造に関し、特にスピンターンを行うためのスピンターンノブを設けたパーキングブレーキのロック構造に関する。
【背景技術】
【０００２】
スピンターンはモータースポーツのジムカーナ（スラローム）やカーブを走行する際のドリフト時に、アクセルの踏み込みに加え、故意にパーキングブレーキを作用させてリアタイヤをロックさせ、車体をコントロールすることを意味し、従前より、このスピンターンを行うため、パーキングブレーキのノブをノーマルなものから専用のスピンターンノブに取り替えておくことが多い。
【０００３】
このスピンターンノブの構造はレバーのノブ（ボタン）を外し、内蔵されているコイルスプリングを取り外してスピンターンノブを取り付けるという簡単なもので、このスピンターンノブは形状として傘状となっている。このスピンターンノブは競技中に使用する際、ノブ（ボタン）を押して元に戻す作業を簡略化するためである。
【０００４】
一般的なパーキングブレーキはレバーを引き上げ、そこで手を離すとロック状態となり、ブレーキをかけた状態が維持され、これを解除するにはレバーを握りながら親指で先端のノブを押し下げレバーを戻すことによりなされる。この点、スピンターンノブを取り付けた場合、レバーを引き上げるとブレーキはかかるが、手を離すとロックされず元に戻る。これはコイルスプリングを外しているのでロック機構が作用しないためである。
【０００５】
また、スピンターンノブを取り付けた場合、レバーを引き上げてロック状態とするためには親指や人差し指でノブの周囲の鍔を引き上げながらレバーを引くことでロックされる。つまり、指の作用が取り外されたコイルスプリングの作用を代替することになる。
【先行技術文献】
【特許文献】
【０００６】
出願人は本願考案に関して先行する技術文献を調査したが、格別に本願と関連し類似すると思われる文献は発見できなかった。
【考案の概要】
【考案が解決しようとする課題】
【０００７】
従来のスピンターンノブの構造ではブレーキのロック状態を得るためにノブを指先で引き上げる動作を必要とし、人間工学的に有利な指先で押し込む動作で行うことができる構造のものはなかったという点である。
【課題を解決するための手段】
【０００８】
本考案に係るパーキングブレーキのロック構造は、上記した従来の問題点を解決するために円筒形をしたスピンターンノブの側壁面に、略直角方向に屈曲されたカム溝を形成し、そのカム溝と係合し、作用するキーをレバーに備えていることを特徴としている。
【０００９】
また、本考案に係るパーキングブレーキのロック構造は、前記したキーは棒先の六角穴付き止めねじ（イモねじ）としたことを特徴とし、前記したスピンターンノブはコイルスプリングで外方に向け附勢されていることを特徴としている。
【考案の効果】
【００１０】
本考案に係るパーキングブレーキのロック構造は上記のように構成されている。そのため、スピンターンを競技中等で使用する場合には、従来どおりに用いることができ、コイルスプリングの作用を生かしてロック及び解除の作業も指先での押し込みと回動によって容易に達成することができ、使用勝手の良いものとなる。
【図面の簡単な説明】
【００１１】
【図１】本考案に使用されるノブの側面図である。
【図２】要部を拡大した正面図である。
【図３】レバーの正面図である。
【図４】右側面図である。
【考案を実施するための形態】
【００１２】
図面として示し、実施例で説明したように構成したことで実現した。
【実施例１】
【００１３】
次に、本考案の好ましい実施の一例を図面を参照して説明する。図中１は本考案の実施に使用されるノブを示している。このノブ１は先端の径をやや小さくした円筒状をしており、後端には周囲に滑り止めのローレットを刻設した鍔２を一体に設けてある。
【００１４】
また、このノブ１の外壁周面には、その円周方向に沿い、両端を略直角に屈曲させて先端方向へ向かうカム溝３がエンドミルによって形成されている。このカム溝３のうち円周方向のものは後述するキーとしての六角穴付き止めねじに沿っての回転をガイドし、屈曲された部分は各々、ロック状態と解除状態の維持のためのポジションとなる。
【００１５】
一方、図中４は前記したノブ１がセットされるパーキングブレーキのレバーを示している。このレバー４は略円筒状とされ、ノブ１が挿入取り付けられる挿入部５が開口されて備えられている。レバー４の、この挿入部５の周囲には複数のねじ６、６‥が装備されるが、そのうちの一つは棒先の六角穴付き止めねじ（イモねじ，ホーローセット）７とされており、その先端部分が前記カム溝３と係合して作用させるキーとなっている。
【００１６】
棒先タイプの六角穴付き止めねじ７はねじ部の径より少し細い径の先端部分が先についているもので、先端部分は平坦となっているが、平先に比べ端面の面積は小さくなっている。
【００１７】
さらに、図に示してはいないが、レバー４にはコイルスプリングが一般的な場合と同様に内蔵され、ノブ１を常に外方へ附勢している。そのため、本考案にあっては、パーキングブレーキをロック状態としたり、解除してその状態を維持するには、ノブ１をコイルスプリングに抗して押し込み、回してやることにより、棒先の六角穴付き止めねじ７の位置をカム溝３内で変えることで行うこととなる。
【産業上の利用可能性】
【００１８】
本実施例に係るパーキングブレーキのロック構造は上記のように構成されている。この実施例ではノブ１を押して回す作業でロック及び解除をするが、例えば、上縁を鋸歯状のカムとしてそのカムを作用させるキーを係合させると、ノック式ボールペンのように、単にノブ１を押す作業のみでロックと解除を繰り返すことも可能となる。
【符号の説明】
【００１９】
１    ノブ
２    鍔
３    カム溝
４    レバー
５    挿入部
６    ねじ
７    棒先の六角穴付き止めねじ
【図１】
0003174619.tif 000003
【図２】
0003174619.tif 000004
【図３】
0003174619.tif 000005
【図４】
0003174619.tif 000006
(57)【要約】      （修正有）【課題】後頭部や後方首筋には多くの指圧ツボが集中しており、これらの指圧を容易に行える指圧枕カバーを提供する。【解決手段】本指圧枕カバー本体１の中央部には指圧装置２の指圧突起３を装着している、後頭部や後方首筋の指圧をする時は、この指圧枕カバー本体１を枕の上に枕カバーとして掛けて置くだけで指圧準備の設置完了となる着脱の容易さがある。あとはこの指圧突起３の上に頭を乗せるだけで一切、手や指を使わず頭の重量のみで頭圧による指圧を而も寝ながらにして指圧することができ、指圧以上の効果があがる。【選択図】図−１
0003174697.tif 000002
【実用新案登録請求の範囲】
【請求項１】
指圧装置▲２▼を装着した指圧枕カバー本体▲１▼を枕の上に枕カバーとして掛けて置くだけであとは頭を乗せるのみで後頭部や首筋の指圧のツボを手や指を一切使わず頭の重量のみで頭圧による指圧以上の効果を実現した寝ながらにして指圧ができる後頭部、及び首筋指圧の画期的な技術開発である。
【請求項２】
この指圧枕カバー本体▲１▼の中心となる指圧装置▲２▼の部分をより簡単に安価に製作する方法として、アルミニュームの薄板を名刺大の大きさに切断して指圧突起を打出す、これらアルミ板の切断も突起の打出しもプレス加工の一回の工程で完了できる、これで指圧突起▲３▼の完成である頭圧のみによる指圧ではアルミ板の平板の突起のみでは高さが低くすぎる場合はアルミの突起板の下にパイプなどを入れて高さを調整する、これだけで指圧装置▲２▼の部分を作成するのである、又アクリル枕カバー▲７▼の部分も肌さわりの良い布地で作成すればより安価に製作できる。
【考案の詳細な説明】
【考案の概要】
【考案の解決しようとする課題】
【０００１】人体の後頭部や後方首筋にかけては多くの指圧用ツボが存在し、一般人には安眠、血圧、風邪、自律神経、頭痛、肩こり等に著効な指圧ツボがあり女性や婦人にはこの他に顔のむくみ、しわ、しみ、花粉症などの指圧ツボが存在しているが後頭部や、うしろ首筋のため、指圧するのは容易ではなかった。
【考案を解決するための手段】
【０００２】課題解決のため本考案は図ー１に示す通り指圧装置▲２▼をアクリル枕カバー▲７▼の中央部に装着した指圧枕カバー本体▲１▼を就寝時に枕の上にカバーとしてかけるだけで指圧の為の装置が完了する、指圧装置▲２▼の指圧突起▲３▼を希望する指圧、例えば安眠の指圧を希望するなら安眠用指圧突起を突起取付台▲４▼に取り付けて、あとは指圧装置▲２▼の上に頭を乗せ後頭部の下端にある第一安眠点、及並列する第二安眠点の指圧ツボに指定突起▲３▼を合わせて頭を僅かに左右にゆっくりと回転させるように、ふり動かすだけで二・三回休みながら繰り返すだけで一切、手や指を使うことなく頭の重量だけで指圧ではなく頭圧のみで充分指圧以上の効果を実現した指圧カバーの開発である。
【考案の効果】
【０００３】従来迄後頭部や首筋の指圧はうしろ側のため指圧するのが容易ではなかったが本考案の指圧カバーの開発により一切、手や指を使わず頭の重量のみで頭圧だけによる指圧ができることは画期的なことであり而も枕上にカバーとして指圧カバー▲１▼を掛けるだけで指圧の設置完了という着脱容易で寝ながらにしてしあつができるのが重宝であり、構造も簡単なため製作も安価にできるのを特徴とする。
【図面の簡単な説明】
【０００４】
【図−１】  図−１は指圧枕カバー▲１▼本体の全体を示す縮尺２分の１の平面図である。
【図−２】  図−２は平面図−１のＡ−Ａ矢視断面実物大の側面図である
【符号の説明】
【０００５】  ▲１▼指圧枕カバー本体
▲２▼指圧装置
▲３▼指圧突起
▲４▼突起取付台
▲５▼突起取替え溝
▲６▼枕カバーファスナー
▲７▼アクリル枕カバー板
【図−１】
0003174697.tif 000003
【図−２】
0003174697.tif 000004
【手続補正書】
【提出日】平成24年1月11日(2012.1.11)
【手続補正１】
【補正対象書類名】実用新案登録請求の範囲
【補正対象項目名】全文
【補正方法】変更
【補正の内容】
【実用新案登録請求の範囲】
【請求項１】
指圧枕カバー本体▲１▼の中央部に設置される指圧装置▲２▼は突起取付台▲４▼の溝内に上下に着脱される指圧突起▲３▼から構成され着脱を容易にするため突起取付台▲４▼の中央部に突起取替え溝▲５▼が設けられている指圧突起▲３▼は使用度の高い安眠、肩こり、頭痛、血圧、風邪、更年期障害、などの各指圧のツボに指圧点を合致させて作成され、指圧のツボの位置などは添付される図解入りの説明書で明解に知ることが出来る。枕の上に指圧枕カバーの本体▲１▼を置くだけで後頭部の指圧が出来る着脱の簡便さがあり、指圧装置▲２▼の上に後頭部を乗せて指圧点を指圧突起に合わせるだけで手や指を使わず頭の重量を利用した頭圧によって、寝ながらにして指圧が出来るのを特徴とした指圧枕カバーである
【請求項２】
指圧装置▲２▼の部分をアルミニユームの薄板を名刺判の大きさに切断して指圧の突起をプレス加工でワンストロークにて作成し、指圧装置として高さが低い場合は、この指圧突起板の下にステンレスのパイプを入れて高さを調節し、アクリル枕カバー▲７▼の部分を肌さわりの良い布地で作成すればコストの安価なものが出来る第一項の請求項に記載の指圧枕カバーである。
(57)【要約】      （修正有）【課題】津波の襲来に対して、筏を設けることで老人や障害者であっても安心して日常生活を営める家を提供する。【解決手段】救命筏１を平屋、２階全部、車庫上の住宅部分に設置し、平常時は重要書類、被害時に必要な非常食料などを一ヶ所に集約し、保管場所として利用する。津波に建物と切り離され津波アンカー１０にて定着される。万が一大きな漂流物に衝突した場合、第１本目のアンカーが切れ、漂流物の衝撃をさけ第２本目のアンカーによって定着される。【選択図】図４
0003174699.tif 000002
【実用新案登録請求の範囲】
【請求項１】
筏のある家は建築物の一部であり、津波到来時にシェルターの役割を果たす救命筏となる。
【考案の詳細な説明】
【技術分野】
【０００１】
本考案は、家屋に設置された津波被害時用の救命筏に関するものです。
【背景技術】
【０００２】
平成２３年３月１１日に発生した津波により多く犠牲が発生した。建築物が波に飲まれ、破壊され人やペットも流されてしまいました。高台に逃げるほか方法はないが、時間もない、襲来から脱出できず命や貴重品も失ってしまった。
【先行技術文献】
【特許文献】
【０００３】
【特許文献１】（非）特許文献
【考案の概要】
【考案が解決しようとする課題】
【０００４】
津波が発生し、襲来前までに高台に避難するには、健常者以外は自力で避難活動ができなかったり、時間がかかったり、体力的に負担が大きい。更に荷物も持っていかれない為、貴重品などは津波に流されてしまう。従って、建物内に救命筏を設置することにより、津波襲来前には避難でき、貴重品も保管しておけば、失わず前述問題解消できる。
【課題を解決するための手段】
【０００５】
津波に襲われ建築物が破壊する。それに対抗する様、建築物全体に強度を持たせることは可能であるが、木造建築物であるとその強度を持たせるには限界がある。建築コストを考え鉄筋コンクリートではなく、木造建築物で通常の平屋、２階全部、車庫上の住宅部分が脱出用のシェルターとして救命筏を設ける。本来津波警報が発生してから、屋外に出て避難所まで向かわなくてはならなく、避難場所到着までに時間を要する。筏のある家の場合は、建物内に設置している救命筏への移動なので、避難時間が短くて済む。
【考案の効果】
【０００６】
上述のように、本考案の筏のある家は緊急救命筏を建物内に設置することにより、津波発生時には即座に避難することが出来、常時に貴重品の保管としても利用できます。
【図面の簡単な説明】
【０００７】
【図１】本考案の筏のある家の車庫上の救命筏設置を示した断面図である。
【図２】本考案の筏のある家の２階全部の救命筏設置を示した断面図である。
【図３】本考案の筏のある家の平屋の救命筏設置を示した断面図である。
【図４】筏のある家を示した２階全部の断面図である。
【図５】筏のある家を示した平屋の断面図である。
【図６】筏のある家を示した車庫上の断面図である。
【考案を実施するための形態】
【０００８】
模型及び実物大を作成し、実験を行う。
【実施例】
【０００９】
建築物本体と救命筏の模型を作成し、切り離し出来ることを確認する。
【産業上の利用可能性】
【００１０】
建築物の一部である救命筏を上記の実験検査に基づき安全を確認して、設計し、監理を行う。
【符号の説明】
【００１１】
１    筏本体である。
２    筏の柱・桁  １０５mm×１０５mm、  １２０mm×１２０mmなど
鉄骨は薄肉角パイプに発泡ウレタン充填、断面寸法は大きさに応じて構造計算する。
３    合板２４mm又は１２mm２枚重ね
４    水の浸入を防ぐ発泡体
５    根太（各寸法により構造計算された部材）
６    水切りカット（各寸法により構造計算された部材）
７    ２階
８    １階
９    ワイヤー（断面寸法は大きさに応じて構造計算する）
１０  津波アンカー（断面寸法は大きさに応じて構造計算する）
１１  基礎
１２  ガルバニウム鋼板
【図１】
0003174699.tif 000003
【図２】
0003174699.tif 000004
【図３】
0003174699.tif 000005
【図４】
0003174699.tif 000006
【図５】
0003174699.tif 000007
【図６】
0003174699.tif 000008
【手続補正書】
【提出日】平成24年1月12日(2012.1.12)
【手続補正１】
【補正対象書類名】実用新案登録請求の範囲
【補正対象項目名】全文
【補正方法】変更
【補正の内容】
【実用新案登録請求の範囲】
【請求項１】
平屋の家に、柱、桁及び合板を用いて形成されるとともに、床状部分形成する2枚の合板の間には、
根太及び発泡ウレタンが設けられてなる部屋状の救命筏を設置してなる家。
【請求項２】
２Ｆの家に、柱、桁及び合板を用いて形成されるとともに、床状部分形成する2枚の合板の間には、
根太及び発泡ウレタンが設けられてなる部屋状の救命筏を２Ｆ全部に設置してなる家。
【請求項３】
車庫上に、柱、桁及び合板を用いて形成されるとともに、床状部分形成する2枚の合板の間には、
根太及び発泡ウレタンが設けられてなる部屋状の救命筏を車庫上に設置してなる家。
(57)【要約】      （修正有）【課題】配管作業に於いて、配管支持部に、管をＵ字ボルトで固定するときに、その固定強度を増加させて配管構造の変形を防ぐ補強材を提供する。【解決手段】補強材１は、Ｌ形もしくはＩ形の部分を２箇所左右対称に有する。配管３を長穴付きアングルにＵ字ボルト２で固定するときに、配管と長穴付きアングルの間に挿入される。【選択図】図２
0003174698.tif 000002
【実用新案登録請求の範囲】
【請求項１】
Ｌ形もしくはＩ形の部材を対称になるように接続し、配管支持材４に、Ｕ字ボルト２を使用して、管３を固定する時に、その３部材の間隙に挿入出来る様な形状にした、配管支持の補強材。
【考案の詳細な説明】
【技術分野】
【０００１】  本考案は配管作業において、Ｕ字ボルトを使用して管を固定するときの補強材である。
【技術背景】
【０００２】  従来からの工法として、山形鋼などの配管支持材にＵ字ボルトを使って管を固定しようとする場合、配管支持材に変形の恐れがある場合はＵ字ボルトを十分な強さで締め付ける事ができない。またこの工法における配管支持材と管との接触面積は少ない。以上の理由によりこの工法による配管支持部の管固定強度には限界がある。
従って自重や外力による配管組立構造の変形や、またその事による配管破損、漏れ事故等を起こす難点がみられる。
【先行技術文献】
【特許文献】
【０００３】
【考案の概要】
【考案が解決しようとする課題】
【０００４】  本考案は、本考案を用いる事によりＵ字ボルトによる管の締め付け固定強度を増して、配管組立構造の変形を防ごうとするものである。
【課題を解決するための手段】
【０００５】  管を配管支持材にＵ字ボルトで固定しようとするときに、Ｕ字ボルト及び  管及び配管支持材との間に出来る間隙に  本考案を差し込み  ナットを締め付けると、締め付け力が本考案に作用して  管を挟み付ける力が生じる。
又、本考案を使用する事に依り配管支持材の変形が無くなる為従来よりも大きいトルクでナットを締め付けることが出来る。
以上のような効果で管の締め付け固定強度を増す事ができる。
【考案の効果】
【０００６】  本考案を使用して配管支持部の強度を増す事が出来れば、配管組立構造の変形に依る配管破損、漏れ事故を防ぐことができる。とくに近年多く使用されている配管指示用穴付きアングルの強度不足を補うための補助材として効果的である。
【考案を実施するための形態】
【０００７】  以下、本考案の補強材１を、図面に示す使用例に基ずいて具体的に説明する。
【０００８】  図１、２は使用例であり、管３を配管支持材４にＵ字ボルト２を使用して固定するときに図のように、本考案である補強材１を取り付け、Ｕ字ボルトを締める。
【図面の簡単な説明】
【０００９】
【図１】  本考案の使用例を上部から見た斜視図である。
【図２】  本考案の使用例を下部から見た斜視図である。
【符号の説明】
【００１０】  １・・・・・・  本考案である補強材
２・・・・・・  Ｕ字ボルト、ナット
３・・・・・・  管
４・・・・・・  配管支持材
５・・・・・・  従来の工法
【図１】
0003174698.tif 000003
【図２】
0003174698.tif 000004
【手続補正書】
【提出日】平成24年1月12日(2012.1.12)
【手続補正１】
【補正対象書類名】実用新案登録請求の範囲
【補正対象項目名】全文
【補正方法】変更
【補正の内容】
【実用新案登録請求の範囲】
【請求項１】
Ｌ形もしくはＩ形の部分を２箇所左右対称に有する形状の物であり、配管を長穴付きアングルにＵ字ボルトにて固定するときに配管と長穴付きアングルの間に挿入され、その左右対称に設けられたＬ形もしくはＩ形の部分とアングルの合計３部分が配管に接触するように構成された配管支持の補強材。
(57)【要約】      （修正有）【課題】頻繁にふとん類の出し入れをする事と業務用洗濯により、ふとんの投入口の縫合部がさけない様、またベットメイクの作業性と業務用洗濯効率を上げることができるようになるふとんの包布を提供する。【解決手段】包布の紐取れの問題とふとん類の出し入れ問題を解決する手段として、紐をなくしてホック４を付け、開口部１の縫い付け部分をＵ字型に縫製３することにより、力が分散される様に縫い目の部分を強化する。【選択図】図１
0003174696.tif 000002
【実用新案登録請求の範囲】
【請求項１】
包布の紐取れの問題とふとん類の出し入れ問題を解決する手段として、紐なくし業務用特殊ホックを付け、開口部の縫い付け部分をＵ字型に縫製することにより力が分散され縫い目がさけにくくなる。
【考案の詳細な説明】
【技術分野】
【０００１】業務用洗濯における包布の改良
【背景技術】
【０００２】頻繁にふとん類の出し入れをする事と業務用洗濯により  投入口の縫合部がさけてしまう
【考案の概要】
【０００３】包布の開口部をＵの字型に縫製する事により力が分散され縫い目が裂けにくくなり開口部の紐の部分を業務用特殊ホックの使用によって紐取れの問題と作業性が良くなります。
【考案が解決しようとする課題】
【０００４】ベットメイクの作業性と業務用洗濯効率を上げる
【課題を解決するための手段】
【０００５】包布の紐取れの問題とふとん類の出し入れ問題を解決する手段として、紐なくし業務用特殊ホックを付け、開口部の縫い付け部分をＵ字型に縫製することにより力が分散され縫い目がさけにくくなる。
【図面の簡単な説明】
【０００６】
【図１】本考察のＵ包布の実施例を示す正面図です。
【符号の説明】
【０００７】▲１▼開口部
▲２▼手入れ穴
▲３▼Ｕ字縫製部
▲４▼特殊ホック
【図１】
0003174696.tif 000003
【手続補正書】
【提出日】平成24年1月13日(2012.1.13)
【手続補正１】
【補正対象書類名】実用新案登録請求の範囲
【補正対象項目名】全文
【補正方法】変更
【補正の内容】
【実用新案登録請求の範囲】
【請求項１】
包布の紐取れの問題とふとん類の出し入れ問題を解決する手段として、紐をなくしてホックを付け、開口部の縫い付け部分をＵ字型に縫製することにより力が分散され縫い目の部分を強化した包布。
(57)【要約】      （修正有）【課題】テープ状の紙を撚ってなる紙紐の複数本を接着剤を介し並接してなる紙バンドを、従来手法の手工で、風合い・趣向に富んだ手工芸品のできる紙バンドを提供する。【解決手段】テープ状の紙を撚ってなる紙紐の複数本を接着剤を介し並接してなる紙バンド本体において、紙紐の一部を他の紙紐より太く構成してなる手芸用紙バンド。【選択図】図１
0003174607.tif 000002
【実用新案登録請求の範囲】
【請求項１】
テープ状の紙を撚ってなる紙紐の複数本を接着剤を介し並接してなる紙バンド本体において、紙紐の一部を他の紙紐より太く構成してなる手芸用紙バンド。
【考案の詳細な説明】
【技術分野】
【０００１】
本考案は、テープ状の紙を撚ってなる紙紐の複数本を接着剤を介し並接してなる手芸用の紙バンドの改良に関するものである。
【背景技術】
【０００２】
従来、この種の紙バンドを構成する紙紐は、一定幅のテープ状の紙を撚ったものであるが、それらの紙紐は同じ太さとなって出来上がった紙バンドは平面的となり、手芸作品にとっても平面的となって風合いに欠ける等の欠点がある。
【考案の概要】
【考案が解決しようとする課題】
【０００３】
そこで本考案では、テープ状の紙を撚ってなる紙紐の複数本を接着剤を介し並接してなる紙バンドを、従来手法の手工で、風合い・趣向に富んだ手工芸品のできる紙バンドを提供しようとするものである。
【課題を解決するための手段】
【０００４】
テープ状の紙を撚ってなる紙紐の複数本を接着剤を介し並接してなる紙バンド本体において、紙紐の一部を他の紙紐より太く構成してなる手芸用紙バンドである。
【考案の効果】
【０００５】
紙バンドの片面には太い紙紐の部分がより大きい凸条となって現れ全体として凹凸条溝がより深く表現され、風合いに富んだものとなり、これを使用した手芸作品も風合いに富んだものとなる。
【図面の簡単な説明】
【０００６】
【図１】図１は本案紙バンドの平面説明図。
【実施例】
【０００７】
これを図示の実施例によって詳記すると、テープ状の紙を撚ってなる紙紐１，１…の複数本を接着剤を介し並接してなる紙バンド本体２において、紙紐１，１…の一部を、他の紙紐より幅広のテープ状の紙を使用して撚ったより太い紙紐４とし、細い紙紐３と太い紙紐４とを交互に並接してなるものである(図1)。
【０００８】
図２に示す紙バンドは細い紙紐３と太い紙紐４を２本ずつ交互に並接したものである。
【０００９】
細い紙紐３と太い紙紐４の配列・本数は使用目的により自由に組合わせることができ、又細い紙紐或は太い紙紐同士は同じ太さでなくともよい。
【００１０】
本案は以上のようになるもので、紙バンドの片面には図１、図２のように太い紙紐の部分がより大きい凸条となって現れ全体として凹凸条溝がより深く表現され、風合いに富んだものとなり、これを使用した手芸作品も風合いに富んだものとなる。又紙紐に色彩を施すことによりより変化をもたせた風合いのある手工芸品を提供できる。
【符号の説明】
【００１１】
１は紙紐
２は紙バンド本体
３は細い紙紐
４は太い紙紐
【図１】
0003174607.tif 000003
【図２】
0003174607.tif 000004
【手続補正書】
【提出日】平成24年2月7日(2012.2.7)
【手続補正１】
【補正対象書類名】明細書
【補正対象項目名】０００６
【補正方法】変更
【補正の内容】
【０００６】
【図１】図１は本案紙バンドの平面説明図。
【図２】図２は他実施例に係る本案紙バンドの平面説明図。
(57)【要約】      （修正有）【課題】足場の形状は多種多様であり、また足場設置する場所の高さ、幅、または周りのスペースの狭さ広さなどが様々であるため、汎用性に富んだ、既存の建築物の保護と人に対する怪我防止等などに利用できる多目的保護カバーを提供することを可能にする。  【解決手段】表面に平面ファスナーのメスの役割をする生地を全体に使い、中にクッション性のある素材を挟み込み、カバー部分１とした。固定に平ゴム２を用いて、平ゴムの先に平面ファスナーのオス３をつけ、平ゴムの伸びとカバー部分の表面のメスの役割となる生地のどこにでも平面ファスナーのオスがつくことで、凹凸に対応できる構成にした。これにより、保護するための用途の広い保護カバーを提供できる。【選択図】図１
0003174689.tif 000002
【実用新案登録請求の範囲】
【請求項１】
足場設置時、既存の建築物の保護と人に対する怪我防止等に使う多目的保護カバーにおいて、
平面ファスナーのメスの役割をする生地を表面全体に使い、中に衝撃を和らげるクッション性のある素材を挟み込み、この部分を衝撃を和らげるカバー部分とし、これを固定するためにカバー部分に平ゴムをつけ、平ゴムの先に平面ファスナーのオスをつけることとする。
これにより平ゴムの伸びとカバー部分の平面ファスナーのメスの役割をする表面に、平面ファスナーのオスがどこにでもつくことで、凹凸に対応できる構成を特徴とする、多くの用途に繰り返し利用可能な多目的保護カバー。
【考案の詳細な説明】
【技術分野】
【０００１】
本考案は、足場設置時に既存の建築物の保護と人に対する怪我防止等などに使う、多くの用途に繰り返し利用可能な多目的保護カバーに関するものである。
【背景技術】
【０００２】
足場設置時には、足場の倒れまたは揺れ防止のために、既存の建築物のベランダ、フェンス、柱、格子等固定された場所と足場をつなげて安定させて建てているケースが多い。
【０００３】
足場には、吊り足場、枠組足場、一側足場、単管足場などがある。足場の材質は、人が乗って作業するために安全性を考慮されており、硬く頑丈な金属製のものが多い。足場の形状は、製造会社によって多種多様であり、足場を設置する場所の高さ、幅、または周りのスペースの狭さ広さなども様々である。
【考案の概要】
【考案が解決しようとする課題】
【０００４】
既存の建築物の固定された場所と足場をつなげて安定させるときに、既存の建築物の固定された場所に傷がつかないように、段ボールやタオルや軍手など利用して保護をしている。しかし、段ボールでは、折り曲げにくく雨に濡れるとボロボロになり、タオルや軍手などでは薄く、傷が残りやすいことが現状である。
【０００５】
また、足場設置のスペースは作業場所により異なるために、やむをえず、金属製の硬い足場の出すぎた部分や足場の止め具などが危険箇所となり、作業に集中するあまり接触して怪我をすることが多い。また、足場に接触しての怪我ばかりではない。
足場を設置したことにより、足場を避けようとして既存の建築物に接触して怪我をしてしまうケースもある。
例えば、住宅の足場設置の場合、足場設置により通行スペースが狭くなり、足場に気をとられて、窓に取り付けられている格子の角などで怪我をした姿を見かけることもある。
【０００６】
本考案は、上記のような足場の形状の違いと設置する場所を考慮して、多方面に保護材として使用することができるので、物に対しての傷を防ぐことと接触する人の衝撃を和らげることを目的とし、添付作業を容易にできる多目的保護カバーを提供することを課題とする。
【課題を解決するための手段】
【０００７】
本考案は、上記目的を達成するために、建築物を保護するためと、怪我を防ぐための危険箇所回避のための多目的保護カバーとして、どちらにも利用可能なクッション性のある素材を用いたことを特徴とする。
【０００８】
特に高所作業は危険が伴うので、添付作業を容易にしたいところなので、多目的保護カバーがずれたり落ちたりしないように固定できるようにすることで、作業効率が向上することを特徴とする。
【考案の効果】
【０００９】
本考案では、多目的保護カバーにクッション性のある素材を用いたので、既存の建築物の固定物に多目的保護カバーを取り付け、金属製の足場をつなげても直接当たらず傷がつきにくくなる。また、簡単に着脱でき、添付作業の簡素化を図ることが出来るという利点がある。
【００１０】
また足場設置時に予め危険箇所と思われるところに本考案の多目的保護カバーを取り付けることにより、接触しても衝撃を和らげることができる。この結果、本考案の多目的保護カバーを取り付けることにより、危険箇所の目印になり、より一層注意することができる。
【図面の簡単な説明】
【００１１】
【図１】本考案の一例の全体図である。
【図２】保護の役割をするカバー部分の断面図である。
【図３】本考案の実施の一例である。
【考案を実施するための形態】
【００１２】
以下に、本考案の一実施形態を図に基づいて説明する。図１は本実施形態の多目的保護カバーの全体図である。保護の役割をするカバー部分1はクッション性のある素材を用いることで、接触時の衝撃を和らげることができる。その固定には平ゴム２を用いて、ゴムの伸びによって凹凸部分に対応できることになる。平ゴム２の先に、平面ファスナーのオス３をつける。
【００１３】
図２は、カバー部分の素材の断面図である。クッション性のある素材４を中に挟み、表面全体は平面ファスナーのメス部の役割をする生地５を用いることで平面ファスナーのオス３がどこでも自在に固定できる仕組みを特徴とした多目的保護カバーである。
【００１４】
以下にその使用箇所の説明をするが、本考案を実施するにあたり、この説明・手順に限定されるものではない。
【実施例】
【００１５】
図3は本考案の実施例であり、既存の建築物のベランダフェンス８に本考案の多目的保護カバー７を取り付け、その上に  足場板6を載せて使用したものである。
【符号の説明】
【００１６】
１    カバー部分
２    平ゴム
３    平面ファスナーのオス
４    クッションとなる部分
５    平面ファスナーのメスの役割をする生地
6    足場設置時に使用する足場板
7    本考案の多目的保護カバー
8    既存建築物のベランダフェンス
【図１】
0003174689.tif 000003
【図２】
0003174689.tif 000004
【図３】
0003174689.tif 000005
【手続補正書】
【提出日】平成23年9月21日(2011.9.21)
【手続補正１】
【補正対象書類名】実用新案登録請求の範囲
【補正対象項目名】全文
【補正方法】変更
【補正の内容】
【実用新案登録請求の範囲】
【請求項１】
足場設置時、既存の建築物の保護と人に対する怪我防止等に使う多目的
保護カバーにおいて、
（１）衝撃を和らげるクッション性のある素材の表面全体に平面ファスナ
ーのメスの役割をする生地を用いてカバー部分とし、
（２）平面ファスナーのオスをつけた平ゴムをカバー部分の端に縫い付け
ることにより巻きつけて固定できるようして、
（３）カバー部分の平面ファスナーのメスの役割をする表面全体に、平ゴ
ムの伸びを活かした平面ファスナーのオスがどこにでも付けられるこ
とで凹凸に対応できる構成を特徴とする、
以上からなる多目的保護カバー。
(57)【要約】      （修正有）【課題】電子機器の故障の現象を再現できる振動試験器を提供する。【解決手段】精密機器が振動で故障したと思われ、現象を再現できないときに用い修理に役立つ。モータの回転を利用してベルト及びプーリを介して機器取付箇所に振動を加えることで、現象を再現させることができる。【選択図】図３
0003174539.tif 000002
【実用新案登録請求の範囲】
【請求項１】
台に取付たＨ字型の鉄板を前後に動かす様にＨ字型鉄板に付いた板にプーリを取付けそのプーリの端部におもりを付けモータの回転を介してプーリに不正回転を生じさせ振動を発生させる振動試験器。
【考案の詳細な説明】
【技術分野】
【０００１】  本考案は、精密機器の振動による故障を再現できないときに、モータ等を利用して再現させるものである。
【背景技術】
【０００２】  車、船等に積む精密機器が振動で故障したと思われるときに現象を再現できないときは修理は不可能であった。
【考案の開示】
【考案が解決しようとする課題】
【０００３】  振動で故障したと思われるときに用いる機具で前途の欠点を解決しようとするものである。
【課題を解決するための手段】
【０００４】  本考案は、モータ及びプーリ・ベルト等を用い、振動する機器取付箇所に取付け、モータを回転させプーリに取付たおもりにより振動を発生させ問題点を解決している。
【考案の効果】
【０００５】  上途の様に、考案の試験器を用いることで現象を再現させることに役立っている。
【考案を実施するための最良の形態】
【０００６】  モータの回転を利用してベルト及びプーリを介して機器取付箇所に振動を加えることで、現象を再現させることができる。
【実施例】
【０００７】  以下、添付図に従って実施例を説明する。１はモータで２及び３はプーリで４のベルトで、４のベルトで回転が伝えられ、３のプーリに取付てあるおもりにより不正回転で振動を発生させて、その振動を５の機器取付箇所に与える。【０００８】  本考案は、上途の如き構成からなるものであり、図３に示すように現象の再現に用いる。
【図面の簡単な説明】
【０００９】
【図１】本考案の正面図
【図２】本考案の側面図
【図３】本考案の実施例図
【符号の説明】
【００１０】  １．モータ
２．プーリ１
３．プーリ２
４．ベルト
５．機器取付箇所
６．おもり
【図１】
0003174539.tif 000003
【図２】
0003174539.tif 000004
【図３】
0003174539.tif 000005
(57)【要約】      （修正有）【課題】建物の引違い窓枠に穴あけや切欠き等の加工を施すことなく、取付け取り外しが可能な遮光・通風鎧戸を提供する。【解決手段】内側及び外側のサッシを左右にスライドして開閉する引違い窓枠に取り付ける鎧戸において、前記鎧戸の一方の外枠が窓枠の凸部と接合する凹部を有し、他の一方の外枠が鎧戸外枠の凹部と接合する凸部を有し、鎧戸と窓枠で挟むことにより、固定する。さらに、通風を妨げずに直射・乱反射の外光の入射を防ぐ為にブレイド１は山形状として直射光を遮り、更にブレイド表面は反射光を防ぐ為に黒色艶消しとしても良い。【選択図】図１
0003174518.tif 000002
【実用新案登録請求の範囲】
【請求項１】
内側及び外側のサッシを左右にスライドして開閉する引違い窓枠に取り付ける鎧戸において、前記鎧戸の一方の外枠が窓枠の凸部と接合する凹部を有し、他の一方の外枠が鎧戸外枠の凹部と接合する凸部を有し、鎧戸と窓枠で挟むことにより  固定することを特徴とする鎧戸。
【請求項２】
請求項１に記載の鎧戸の外枠の凸部及び凹部の表層部が  ゴム状の弾性体で形成された鎧戸。
【請求項３】
鎧戸のブレイドの断面が山形状を成し、通風を妨げることなく外部からの入射光を効果的に遮ることが可能な黒色艶消しな  請求項１及び請求項２に記載の鎧戸。
【考案の詳細な説明】
【技術分野】
【０００１】  本考案は建物の引違い窓枠に穴あけや切欠き等の加工を施すことなく取付け取り外しが可能な遮光・通風鎧戸に関するものである。
【背景技術】
【０００２】  人間の目の網膜はたとえ瞼を閉じていても光を感知し、光の刺激で眠気を誘うメラトニンの分泌が妨げられて眠りが浅くなってしまう。このため、より深い眠りには寝室の明りは完全に消し、外から漏れ入る光を雨戸や遮光カーテンで遮断することが望ましい。しかし、厳しい猛暑の際、雨戸や遮光カーテンを利用すると自然の通風は得られなくなり、エアコンを運転して室温を下げないと快適な睡眠を得ることができない。一方、エアコンの運転音と送風を不快に感じる人達にとっては、屋外から自然の風を取り入れながら光を遮断できる建具の実現が望まれていた。【０００３】  このような建具として実用新案登録第３０７７９５２号では雨戸外壁を格子構造にして通風ができるようにし、内壁に網を取り付けて虫侵入防止ができる雨戸が考案されている。【０００４】  一方、実用新案登録第３１４０３４６号には、山型状の遮光板を利用して視線は遮るが風は通す簾が考案されている。【０００５】
【特許文献１】実用新案登録第３０７７９５２号公報
【特許文献２】実用新案登録第３１４０３４６号公報
【考案が解決しようとする課題】
【０００６】  実用新案登録第３０７７９５２号公報の通風雨戸は現状の取り付け雨戸と取り替えることで機能を果すことになり、雨戸の無い窓枠には使用することができない。さらに、遮光板が平板状であるため、上方からの光線は遮断できるものの、地面からの反射光など下方からの光線は遮断することができない。
【０００７】  実用新案登録第３１４０３４６号公報のような山型状の遮光板を適切に用いれば視線のみならず室外から漏れ入る光を遮断することも可能であるが、簾であるため風により揺れ動き、安定した遮光状態を継続して実現することはできない。
【問題を解決するための手段】
【０００８】  建物の引違い窓枠に穴あけや切欠き等の加工を施すことなく取付け取り外しを可能とするため、ガラスサッシと窓枠本体に挟んで固定する構造とする。
通常の窓枠は気密性を保つ為に窓枠側に凸状の突起があり、ガラスサッシ側にこの凸部と適合する凹部を有する構造になっている。  そこで、鎧戸の一方の縦枠に窓枠側の凸部の突起と適合する凹部を有し、他方の縦枠にガラスサッシ側の凹部と接号する凸部を有する形状を与えることにより、鎧戸をガラスサッシと窓枠本体に挟みガラスサッシの開け閉めだけで容易に取り付け・取り外しが可能となる。
【０００９】  通風を妨げずに直射・乱反射の外光の入射を防ぐ為にブレイドは山形状を成して直射光を遮り  更にブレイド表面は反射光を防ぐ為に黒色艶消しとする。
【図面の簡単な説明】
【００１０】
【図１】総体の三面図
【図２】接続部分の詳細図
【符号の説明】
【００１１】１：ブレイド（山形材）
２：鎧戸縦枠（溝形材）
３：スポンジ（ゴム状弾性体）
４：リベット（盲鳩目・鋲）
【図１】
0003174518.tif 000003
【図２】
0003174518.tif 000004
(57)【要約】      （修正有）【課題】料理をする際に食品を擂り器に入れて上部トゲ状板を回転させることにより、楽に、手も汚さずに細かく砕くことが出来る食品粒状擂り器を提供する。【解決手段】一番下に筒状の擂りものストック容器１、その上に筒状の擂り室２、その底には下部トゲ状板３を固定させ，内側には筒状の回転誘導筒４を設け、外部には擂り器押さえ１０設け、下部トゲ状板の上には上部トゲ状板５と、回転シャフト６の外側をスプリング７をとりつけ，更にその上に蓋８をかぶせ更に一番上のハンドル９を取り付けて食品粒状擂り器を形成する。【選択図】図１
0003174543.tif 000002
【実用新案登録請求の範囲】
【請求項１】
本考案は，一番下に筒状の擂りものストック容器（１），その上に筒状の擂り室（２），その底には下部トゲ状板（３）を固定させ，内側には筒状の回転誘導筒（４）を設け，外部には擂り器押さえ（１０）設け，下部トゲ状板の上には上部トゲ状板（５）と，回転シャフト（６）の外側をスプリング（７）をとりつけ，更にその上に蓋（８）をかぶせ更に一番上のハンドル（９）を取り付けた食品粒状擂り器。
【考案の詳細な説明】
【技術分野】
【０００１】この考案は，料理をする際に食品を擂り器に入れて上部トゲ状板を回転させることにより，楽に，手も汚さずに細かく砕くことが出来る食品粒状擂り器に関する。
【背景技術】
【０００２】従来，食品を細かく砕く機器は多々あるが，ゆで卵・パン等を一定の大きさの粒に砕くことを目的とするものは，現在のところ他に見当たらない。
【考案の概要】
【本考案が解決しようとする課題】
【０００３】従来，ゆで卵などを細かく砕くときは，他に飛び散る・場所を広く必要とするなど様々な不便があった。
食品を砕く際，大根・とろろ芋などをすりおろす機器は多々あるが，パン・ゆで卵などは適当な大きさに砕く機器はなく，パン・ゆで卵・ふかしたジャガ芋・さつま芋などには，ほどよい粒状に砕くことに課題があった。
【課題を解決する手段】
【０００４】課題を解決するため本発明は以下の構成とした。
細かく粒状に砕くことは皆が嫌いな，つかむ事による手の汚れ・時間がかかる・手でつかむ事による不衛生さ・他に飛び散る・場所を広く必要とするなどを防止するために本考案の食品粒状擂り器に食品を入れて擂るだけで目的を達成できるようにした。
【本考案の効果】
【０００５】本考案は，下記の効果を有する。
１．手を汚さない。
２．時間がかからない。
３．場所を広く必要としない。
４．手で砕かないので衛生的。
５．粒状に擂れるため，ゆで卵・パンなどは，ほどよい粒状に砕くことに特にむいている。
【図面の簡単な説明】
【０００６】
【図１】  本考案の分解説明図
【図２】  本考案の食品粒状擂り器組立て斜視図
【図３】  回転誘導筒
【図４】  下部トゲ状板
【図５】  上部ドゲ状版
【考案を実施するための最良の形態】
【０００７】以下，本考案を実施するための最良の形態について説明する。
図１のように，擂り器の中に食品を入れ蓋をかぶせる事により，とがったトゲ状の上下板で挟み，上部のハンドルを右回転させる事により，細かく粒状に砕くことが出来る。
【符号の説明】
【０００８】  １．擂りものストック容器
２．擂り室
３．下部トゲ状板
４．回転誘導筒
５．上部トゲ状板
６．回転シャフト
７．スプリング
８．蓋
９．ハンドル
１０．擂り器押さえ
【図１】
0003174543.tif 000003
【図２】
0003174543.tif 000004
【図３】
0003174543.tif 000005
【図４】
0003174543.tif 000006
【図５】
0003174543.tif 000007
(57)【要約】      （修正有）【課題】頭部の重力および頭部に圧力をかける施術時の圧力を吸収するようにしたエステ枕を提供する。【解決手段】従来の施術に用いるエステチェアーや歯科ユニットの頭部を乗せる箇所に装着することにより、頭部の重力および頭部に圧力をかけるメニュー時の圧力を吸収するようにした枕である事を特徴とする。頭部の重力および頭部に圧力をかけるメニュー時の圧力を吸収することにより安頭台での安定性を保持し、圧迫による痛みが出現を軽減させることが可能になる。【選択図】図３
0003174547.tif 000002
【実用新案登録請求の範囲】
【請求項１】
本考案は、頭部の重力および頭部に圧力をかけるメニュー時の圧力を吸収するために、従来の施術に用いるエステチェアーや歯科ユニットの頭部を乗せる箇所に装着することの可能な枕。
【考案の詳細な説明】
【考案の概要】
【考案が解決しようとする課題】
【０００１】従来、エステ・歯科の施術の椅子は頭部に圧力をかける施術がなかったため頭部を単に乗せるような状態で頭部の重量を受けていたが、ヘッドマッサージや歯茎マッサージなど頭部に圧力をかけるメニューの出現により、頭部に圧力がかかり、従来のベット、安頭台では固くて安定感に欠け、痛みが出ることもあるようになっていた。
【課題を解決するための手段】
【０００２】本考案は、従来の施術に用いるエステチェアーや歯科ユニットの頭部を乗せる箇所に装着することにより、頭部の重力および頭部に圧力をかける施術時の圧力を吸収するようにした。
【考案の効果】
【０００３】本考案は、頭部の重力および頭部に圧力をかけるメニュー時の圧力を吸収することにより安頭台での安定性を保持し、圧迫による痛みが出現を軽減させることが可能になる。
【図面の簡単な説明】
【図１】本考案の正面図である。
【図２】本考案の側面図である。
【図３】本考案の断面図である。
【符号の説明】１  本体
２  中身素材（パイプ材）
【図１】
0003174547.tif 000003
【図２】
0003174547.tif 000004
【図３】
0003174547.tif 000005
(57)【要約】【課題】一台を二つの用途に用いることができるボイル機能を兼ね備え特に家庭での使用に適したウォーターサーバーを提供する。【解決手段】ボイル機能を兼ね備え特に家庭での使用に適したウォーターサーバーは、熱水供給ユニット、ボイル設備、タッチパネルを、単一の機体内に統合し、使用者がタッチパネル１５を通してウォーターサーバー用途を選択すれば、単純に熱水が供給され、ボイル用途を選択すれば、各食品に応じて、必要な水量及び加熱時間などのボイル条件を設定でき、起動すると、熱水は料理用容器に自動的に注入され、設定時間が終了するまで加熱され、簡単に食品をボイルすることができる。【選択図】図１
0003174599.tif 000002
【実用新案登録請求の範囲】
【請求項１】
ボイル機能を兼ね備え特に家庭での使用に適したウォーターサーバーは、熱水供給ユニット、ボイル設備、タッチパネルを、機体に統合し、
前記機体は、底台、ケース、背面板、上蓋により組成し、前記底台と前記ケースの間には、操作空間を形成し、
前記熱水供給ユニットには、熱水槽、前記熱水槽内に装置する加熱部品、前記機体上蓋位置に設置する補充水パイプラインを設置し、
前記ボイル設備は、料理用容器を固定するサポートフレーム、前記サポートフレーム下方に設置する加熱器を備え、
使用者が、前記ケース正面に設置するタッチパネルを操作して、熱水を供給する時には、前記熱水槽内に蓄えられる熱水は流出し、飲用に供され、
使用者が、前記タッチパネルを操作して、ボイル機能を用いる時には、各食品に応じて、必要な水量及び加熱時間などのボイル条件を設定し、起動すると、熱水は料理用容器に自動的に注入され、設定時間が終了するまで加熱されることを特徴とするボイル機能を兼ね備え特に家庭での使用に適したウォーターサーバー。
【考案の詳細な説明】
【技術分野】
【０００１】
本考案はウォーターサーバーに関し、特に一台を二つの用途に用いることができるボイル機能を兼ね備え特に家庭での使用に適したウォーターサーバーに関する。
【背景技術】
【０００２】
通常家庭で使用するウォーターサーバーは、飲料水のろ過、加熱、保温の機能を単純に提供するだけである。一方、ファストフード文化が席巻する現代社会では、さまざまなパック食品が存在する。それらは、現代的な都市に生活する人々に、簡易な食事の方法を提供している。パック食品が幅広い人気を博す原因は、電子レンジ内で加熱するだけで、即、食することができ、料理の面倒を省けることに他ならないだろう。
【０００３】
パック食品の、現代生活における必須程度は日増しに拡大している。どこの家庭にも必ずあるといって過言ではないウォーターサーバーに、飲料水を供給する機能の他に、仮に、パック食品をボイル機能を持たせるとする。そうすれば、家庭における適用性と製品の価値は、従来のウォーターサーバーとは比較にならないほど高くなるだろう。
【考案の概要】
【考案が解決しようとする課題】
【０００４】
本考案が解決しようとする課題は、一台を二つの用途に用いることができるボイル機能を兼ね備え特に家庭での使用に適したウォーターサーバーを提供することである。
【課題を解決するための手段】
【０００５】
上記課題を解決するため、本考案は下記のボイル機能を兼ね備え特に家庭での使用に適したウォーターサーバーを提供する。ボイル機能を兼ね備え特に家庭での使用に適したウォーターサーバーは、熱水供給ユニット、ボイル設備、タッチパネルを、単一の機体内に統合し、使用者が、タッチパネルを通してウォーターサーバー用途を選択すれば、単純に熱水が供給され、ボイル用途を選択すれば、各食品に応じて、必要な水量及び加熱時間などのボイル条件を設定でき、起動すると、熱水は料理用容器に自動的に注入され、設定時間が終了するまで加熱され、簡単に食品をボイルすることができる。
【考案の効果】
【０００６】
本考案のボイル機能を兼ね備え特に家庭での使用に適したウォーターサーバーは、一台を二つの用途に用いることができ、簡単に食品をボイルすることができる。
【図面の簡単な説明】
【０００７】
【図１】本考案の立体分解図である。
【考案を実施するための形態】
【０００８】
本考案の立体分解図である図１に示すように、本考案ボイル機能を兼ね備え特に家庭での使用に適したウォーターサーバーは、熱水供給ユニット、ボイル設備、タッチパネルを、単一の機体に統合する。
【０００９】
機体は、底台１１、ケース１２、背面板１３、上蓋１４により組成する。底台１１とケース１２の間には、操作空間を形成し、ここに料理用容器をセットすることができる。
【００１０】
熱水供給ユニットには、熱水槽２１、熱水槽２１内に装置する加熱部品２２、機体上蓋１４位置に設置する補充水パイプライン２３を設置する。加熱部品は、一般の電気スプーンである。
【００１１】
ボイル設備は、料理用容器を固定するサポートフレーム３１、サポートフレーム３１下方に設置する加熱器３２を備える。加熱器３２は、一般の電磁プレートである。
【００１２】
使用者が、ケース１２正面に設置するタッチパネル１５を操作して、熱水を供給する時には、熱水槽２１内に蓄えられる熱水は流出し、飲用に供される。
【００１３】
使用者が、タッチパネル１５を操作して、ボイル機能を用いる時には、先ずパック食品を料理用容器内に入れる。次に、食品を入れた料理用容器を、サポートフレーム３１上に置き、タッチパネル１５を操作して、各食品に応じて、必要な水量及び加熱時間などのボイル条件を設定する。起動すると、熱水は料理用容器に自動的に注入され、設定時間が終了するまで加熱される。こうして、簡単に食品をボイルすることができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１５】
１１  底台
１２  ケース
１３  背面板
１４  上蓋
１５  タッチパネル
２１  熱水槽
２２  加熱部品
２３  補充水パイプライン
３１  サポートフレーム
３２  加熱器
【図１】
0003174599.tif 000003